(57)【特許請求の範囲】
【請求項１】
長柄先端に草刈刃体を装着した除草具において、長柄の延長方向に突設した草刈刃体を、表裏面方向何れにおいても作業者が立ち姿勢で除草対象の地表面に対して草刈刃体を押し付けると撓って地表面と当接する表裏方向での適宜な撓り特性を備えた細長薄鋼板で形成する共に、一方の側縁又は左右両側縁に刃部を設けてなることを特徴とする除草具。
【請求項２】
草刈刃体の左方側縁に設けた左方刃部が、鋸刃状である請求項１記載の除草具。
【請求項３】
左方刃部を引き切り刃に形成し、草刈刃体の右方刃部が押切可能な凹凸刃形状に形成してなる請求項２記載の除草具。
【請求項４】
草刈刃体の裏面に、草刈刃体の動作に伴い草刈刃体の刃部機能に合わせて横動するように、長柄軸方向から適宜な一定角度で傾斜させた方向に向けた単一又は複数のガイド板部を突設してなる請求項１乃至３記載の何れかの除草具。
【請求項５】
左方刃部を引き切り刃に形成し、右方刃部を押切可能な凹凸刃形状に形成した除草具において、右方刃部の凹部形成部分を裏面に折曲してガイド板部としてなる請求項４記載の除草具。
【請求項６】
ガイド板部を草刈刃体に着脱自在に設けた請求項４記載の除草具。
【請求項７】
長柄先端に草刈刃体を着脱自在とした刃体装着体を設けると共に、刃体装着体における刃体取付部を、草刈刃体と対応する撓り柔軟性を有する材質で形成してなる請求項１乃至６記載の何れかの除草具。
【発明の詳細な説明】
【技術分野】
【０００１】
本発明は、除草具に関するものである。
【背景技術】
【０００２】
手道具による除草作業は、鎌で行われるのが一般的であるが、屈んでの作業は身体に対する負担が大きいので、立ち姿勢で作業が可能な長柄を備えた除草器具が提案されている。例えば特許文献（特開平９−１２１６０１号公報）には、長柄の先端に二股状装着部材を設け、Ｕ字型の草削り刃を装着し、作業者が手前に引きながら除草作業を行う器具が開示されている。
【０００３】
また特許文献２（特開２０００−２３２８１２号公報）には、三日月状の草刈刃体が、長柄の先端側方に突出し、長柄を傾斜させた状態で鎌刃体が水平になるように装着された器具が開示されている。更に特許文献３（登録実用新案３１０３７０１号公報）には、三日月状の鎌刃体が、長柄の先端前方に突出し、長柄を傾斜（３５度）させた状態で草刈刃体が水平になるように装着された器具が開示されている。
【先行技術文献】
【特許文献】
【０００４】
【特許文献１】特開平９−１２１６０１号公報。
【特許文献２】特開２０００−２３２８１２号公報。
【特許文献３】登録実用新案３１０３７０１号公報。
【発明の概要】
【発明が解決しようとする課題】
【０００５】
特許文献１記載の除草具は、雑草を切断して取り除くのではなく、草削りと称される小雑草を根ごと取り除くことを目的としており、背の高い雑草の除去には適さず使用対象が限定されている。これに対して特許文献２，３記載の器具は、立ち姿勢で草刈刃体が地表面と水平であると、そのまま地面に対して水平に草刈刃体を操作する、草刈りが実現する。
【０００６】
しかし長柄と草刈刃体の角度が一定であるために、傾斜面での作業や、使用者の身長差によって、草刈刃体が地表面に添わない状態での作業が強いられ、効率的な除草作業が行われない場合がある。
【０００７】
そこで本発明は、除草対象の地表面の傾斜や凹凸形状に対応して適切な除草作業を実施することができる新規な除草具を提案したものである。
【課題を解決するための手段】
【０００８】
本発明の請求項１記載の係る除草具は、長柄先端に草刈刃体を装着した除草具において、長柄の延長方向に突設した草刈刃体を、表裏面方向何れにおいても作業者が立ち姿勢で除草対象の地表面に対して草刈刃体を押し付けると撓って地表面と当接する撓り特性を備えた細長薄鋼板で形成すると共に、一方の側縁又は左右両側縁に刃部を設けてなることを特徴とするものである。
【０００９】
而して前記除草具は、作業者が立ち姿勢で地表面に草刈刃体を押し付けると、草刈刃体が撓り特性で撓り、地表面と当接する。当該状態で草刈刃体を前後動作するように長柄を操作すると、雑草や葦、ススキ等の除去対象を茎や幹が切断されるものである。勿論地表面での切除作業の他に、壁面の蔦の切断や地面から離れた蔓等の切断も当然行うことができる。
【００１０】
また本発明の請求項２記載の係る除草具は、草刈刃体の左方側縁に設けた左方刃部が、鋸刃状としたもので、除去対象がススキのような茎が硬い植物でも容易に切除できる。
【００１１】
また本発明の請求項３記載の係る除草具は、特に左方刃部を引き切り刃に形成し、草刈刃体の右方刃部が押切可能な凹凸刃形状に形成してなるもので、引き切りによる除草も押切による除草も可能となるものである。
【００１２】
また本発明の請求項４記載の係る除草具は、草刈刃体の裏面に、草刈刃体の動作に伴い草刈刃体の刃部機能に合わせて横動するように、長柄軸方向から適宜な一定角度で傾斜させた方向に向けた単一又は複数のガイド板部を突設してなるものである。
【００１３】
ガイド板部は、草刈刃体を地面に押し付けると地面に食い込むことになり、除草操作を行うと、草刈刃体は地表面を前後に摺動するが、その摺動時にガイド板部によって草刈り刃体がガイド板部の傾斜方向にずれて（横動して）、当該刃部の機能が発揮される前後摺動時、切除対象に食い込むことになって、切除作業が効果的に行われる。
【００１４】
本発明の請求項５記載の係る除草具は、左方刃部を引き切り刃に形成し、右方刃部を押切可能な凹凸刃形状に形成した除草具において、右方刃部の凹部形成部分を裏面に折曲してガイド板部としてなるもので、ガイド板部を刃体の形成と同時に形成することができる。
【００１５】
本発明の請求項６記載に係る除草具は、ガイド板部を草刈刃体に着脱自在に設けたもので、ガイド板部を必要に応じて装着できるものである。
【００１６】
本発明の請求項７記載に係る除草具は、長柄先端に草刈刃体を着脱自在とした刃体装着体を設けると共に、刃体装着体おける刃体取付部を、草刈刃体と対応する撓り柔軟性を有する材質で形成してなるもので、草刈刃体を替刃方式とし、除去対象植物の状態に対応した刃体長、刃体厚、刃形状を選択使用できるものである。
【発明の効果】
【００１７】
本発明の構成は上記のとおり適宜な撓り特性を備えた草刈刃体を長柄先端に設けたもので、作業者の身長や長柄の手持ち角度が相違しても、作業者が立姿勢のまま地表面に添った刃体での除草作業か可能となったものである。
【図面の簡単な説明】
【００１８】
【図１】本発明の第一実施形態の全体斜視図。
【図２】同使用状態（除草作業）の説明図。
【図３】同草刈刃体の要部説明図。
【図４】同刃体装着体の説明図。
【図５】同第二実施形態の要部説明図で、（イ）はガイド板の分離状態（ロ）はガイド板部の装着時を示す。
【発明を実施するための形態】
【００１９】
次に本発明の実施形態について説明する。図１乃至４に示した第一実施形態の除草具は、草刈刃体１と、刃体装着体２と、長柄３で構成される。
【００２０】
草刈刃体１は、本体１１に刃体装着体２への装着透孔１２等と左右側縁に適宜な刃部１３，１４を設け、基端にコミ部１５を形成し、更に裏面にガイド板部１６を突設し、先端に鉤部１７を形成したものである。
【００２１】
本体１１は、適宜な厚み（０．５ｍｍ以上）の細長薄鋼板（工具鋼製）で、長さ２０〜５０ｃｍ、幅５〜１５ｃｍ程度で、その厚さは必ずしも一様ではなく、先方が薄く基方を厚くしても良く、本体１１の材質・大きさ・形状・厚みは、後述する除草作業に対応できる撓り特性を備えるように決定される。
【００２２】
本体１１の左方側縁に形成する左方刃部１３は、引き通常の鋸の横挽き刃と同様の鋸刃形状で、先端の鉤部１７を除いた左方側縁全長に渡って形成したものである。
【００２３】
また本体１１の左方側縁に形成する右方刃部１４は、矩形凹凸形状で、少なくとも押切刃を備えるようにするが、矩形突部の３辺に刃を形成しても良い。尚右方側縁の基端側に凹状部分を設けて引切刃１４１を設けても良い。
【００２４】
ガイド板部１６は、右方側縁に設けた右方刃部１４の刃部間隙を形成するため凹部形成部分を裏面折り返して、本体１１の裏面に突出させたもので、縦列する各ガイド板部１６は、長柄３の軸方向から先方を右方に傾斜させた同一角度となるように設けたものである。前記の傾斜角度は、左右側縁に設けた刃部１３，１４の機能（引き切り或いは押し切り作用）に合わせて設けてなり、また撓り機能の障害とならないように、短く且つ適宜な間隔をおいて設ける。
【００２５】
鉤部１７は、本体１１の先端に左方に突出させて形成したもので、鉤部１７の基部側縁に鎌刃１７１を設けてなり、また本体１１の基端縁には端刃１８を設けた。
【００２６】
刃体装着体２は、長柄３を装着する筒状装着部２１と、草刈刃体１を表裏から挟みつける刃体取付部２２からなり、刃体取付部２２は、草刈刃体１と対応する撓り柔軟性を有する材質、例えば草刈刃体１と同種の薄鋼板や、樹脂材で形成し、装着透孔１２と対応する位置に止着孔２３を形成して、且つ刃体取付部２２の基部にはコミ部１５の嵌合孔を設けておき、長柄３に固着し、所望の草刈刃体１を装着するものである。
【００２７】
而して前記除草具は、図２に示すように作業者Ａが立ち姿勢で除草対象の地表面Ｂ（コンクリート面の場合もある）に対して草刈刃体１を押し付けると、草刈刃体１が有する弾性（撓り特性）で撓って地表面Ｂと当接する。
【００２８】
この草刈刃体１を地表面Ｂに当接した状態で長柄３を操作して草刈刃体１を前後動させると、除去対象の雑草Ｃが切断され地表面Ｂから分離され、除草が行われる。
【００２９】
特に左方刃部１３が引き切り刃であるので、雑草Ｃの中に差し入れている草刈刃体１を手前に引くと、地表面Ｂにガイド板部１６が食い込んでいるので、ガイド板部１６の手前側移動によって草刈刃体１が左方に移動し、左方刃部１３で雑草Ｃを切断する。
【００３０】
逆に草刈刃体１を押し出すとガイド板部１６によって草刈刃体１が右方に移動し、右方刃部１４の押切刃で雑草Ｃを切断する。
【００３１】
更に右方側縁の引切刃１４１、先端の鉤部１７の鎌刃１７１、端刃１８は、特に地表面Ｂに草刈刃体１を押し付けることなく、雑草Ｃや蔦を引掛けて切断するのに使用する事ができる。
【００３２】
また図５は本発明の第二実施形態を示し、この実施形態はガイド板部４を独立部材として、草刈刃体１ａに対して着脱自在としたものである。
【００３３】
草刈刃体１ａの本体１１ａに、一対若しくは数対の取付孔１９を所定角度傾斜した方向に設け、当該取付孔１９にガイド板部４を取り付けるもので、ガイド板部４は、鉛直面部４１と水平面部４２を備えた逆Ｌ字状で、水平面部４２に取付孔１９と対応する装着ビス４３を突設したもので、前記ガイド板部４の装着ビス４３を取付孔１９に挿通し、適宜なナット４４で固定するようにしたものである。
【００３４】
ガイド板部４は、草刈刃体１ａの撓り弾性に影響を与えるので、できるだけ短く形成し、作業現場に応じてガイド板部４の脱着を行うものである。
【００３５】
以上のように本発明の除草具は、草刈刃体１が撓り特性を備えて、地表面Ｂに押し付けることで、草刈刃体１が地表面にＢに密着して除草（雑草の切除）を行うものであり、地表面に添っての除草が行われると共に、長柄の手持ち角度が相違したり、地表面Ｂが傾斜している場合でも何ら支障なく効率的な除草作業を行うことができるものである。
【符号の説明】
【００３６】
１，１ａ      草刈刃体
１１，１１ａ  本体
１２    装着透孔
１３    左方刃部
１４    右方刃部
１４１    引切刃
１５    コミ部
１６    ガイド板部
１７    鉤部
１７１    鎌刃
１８    端刃
１９    取付孔
２      刃体装着体
２１    筒状装着部
２２    刃体取付部
２３    止着孔
３      長柄
４      ガイド板部
４１    鉛直面部
４２    水平面部
４３    装着ビス
４４    ナット
【図１】
0006564611.tif 000002
【図２】
0006564611.tif 000003
【図３】
0006564611.tif 000004
【図４】
0006564611.tif 000005
【図５】
0006564611.tif 000006